(57)【要約】【課題】薬液バッグに収容された薬液を空のシリンジ内に導入するための薬液充填装置に関し、薬液バッグからの薬液の押し出しを簡単な構成で良好に行うことができる薬液充填装置を提供する。【解決手段】薬液充填装置１は、薬液バッグ５０に収容された薬液をシリンジ１０内に導入するためのものである。同装置１は、シリンジ１０を保持するシリンジ保持手段（２５）と、薬液バッグ５０をしごいてバッグ内の薬液をシリンジ１０内に向けて押し出すローラ３１と、を備えている。例えば、オペレータが手動で支持部材３２をシリンジ側に移動させることで、ローラ３１でバッグ５０をしごきつつ、バッグ内の薬液をシリンジ１０内に導入することができる。【選択図】図３
2009039310.tif 000002
【特許請求の範囲】
【請求項１】
薬液バッグに収容された薬液をシリンジ内に導入するための薬液充填装置であって、
シリンジを保持するシリンジ保持手段と、
前記薬液バッグをしごいてバッグ内の前記薬液を前記シリンジ内に向けて押し出すローラと、を備えることを特徴とする薬液充填装置。
【請求項２】
前記ローラを、回転可能、かつ、前記シリンジに向けて移動可能に支持する支持機構を備え、
オペレータが手動で該支持機構をシリンジ側に移動させることで、前記ローラが前記薬液バッグをしごく、請求項１に記載の薬液充填装置。
【請求項３】
前記ローラを回転させるハンドルを備え、
オペレータが手動で該ハンドルを操作することで、前記ローラが回転して前記薬液バッグをしごく、請求項１に記載の薬液充填装置。
【請求項４】
薬液バッグを挟む一対の前記ローラを備える、請求項１〜３のいずれか１項に記載の薬液充填装置。
【請求項５】
前記薬液バッグから前記シリンジ内へ薬液を導入するのに伴って前記シリンジのピストンが押し出されるようになっており、
前記ピストンが所定の位置まで押し出された時点で該ピストンに当接して移動を阻止するストッパを更に備える、請求項１〜４のいずれか１項に記載の薬液充填装置。
【発明の詳細な説明】
【技術分野】
【０００１】
本発明は、薬液バッグに収容された薬液を空のシリンジ内に導入するための薬液充填装置に関する。特には、薬液バッグからの薬液の押し出しを簡単な構成で良好に行うことができる薬液充填装置に関する。
【背景技術】
【０００２】
医療用の透視撮像装置としては、ＣＴ（Computed Tomography）スキャナ、ＭＲＩ（Magnetic Resonance Imaging）装置、ＰＥＴ（Positron
Emission Tomography）装置、超音波診断装置、ＣＴアンギオ装置、ＭＲアンギオ装置等がある。このような装置を使用するとき、例えば鮮明な画像を得ることなどを目的として患者の体内に造影剤や生理食塩水など（以下、これらを単に「薬液」ともいう）が注入されることが多い。
【０００３】
一方、薬液の注入に用いられるシリンジとしては、シリンジ内に薬液がはじめから充填されたプレフィルドタイプと呼ばれるものと、薬液が収容された容器又はバッグから所定量の薬液をシリンジ内に吸引する吸引タイプと呼ばれるものとがある。
【０００４】
例えば特許文献１などには、吸引タイプのシリンジに薬液を導入するための自動充填装置が開示されている。この薬液充填装置では、装置に保持されたシリンジのピストンを駆動機構で引くことにより、シリンジ内を負圧にして薬液の入った容器からシリンジ内に薬液を引き込む構成となっている。
【特許文献１】特開２０００−１８９５１５号公報
【発明の開示】
【発明が解決しようとする課題】
【０００５】
上述したような従来の薬液充填装置であってもシリンジ内への薬液の導入を良好に行うことができ、実用上問題はない。しかしながら、特に薬液バッグに入った薬液をシリンジ内に導入する装置に関し、より簡単な構成で薬液の導入を行うことができる装置は従来提案されていない。
【０００６】
そこで、本発明は上記課題に鑑み、薬液バッグからシリンジ内への薬液の導入を簡単な構成で良好に行うことができる薬液充填装置を提供することを目的とする。
【課題を解決するための手段】
【０００７】
上記目的を達成するための本発明の薬液充填装置は、
薬液バッグに収容された薬液をシリンジ内に導入するための薬液充填装置であって、
シリンジを保持するシリンジ保持手段と、
前記薬液バッグをしごいてバッグ内の前記薬液を前記シリンジ内に向けて押し出すローラと、を備えることを特徴とする。
【０００８】
このような構成によれば、ローラで薬液バッグをしごいて同バッグ内の薬液をシリンジ内へと導入することができる。このように、ローラでバッグを押し潰す構成の場合、装置の構造を簡素化し易いという利点がある。特に、手動でローラを動かす構成とした場合、装置に駆動源を設ける必要がないことから、装置を大幅に簡素化することができ、装置の小型軽量化にも有利である。
【０００９】
本発明の薬液充填装置は、また、前記ローラを、回転可能、かつ、前記シリンジに向けて移動可能に支持する支持機構を備え、オペレータが手動で該支持機構をシリンジ側に移動させることで、前記ローラが前記薬液バッグをしごくものであってもよい。
【００１０】
また、前記ローラを回転させるハンドルを備え、オペレータが手動で該ハンドルを操作することで、前記ローラが回転して前記薬液バッグがしごかれる構成であってもよい。
【００１１】
また、上記ローラは１つのみであってもよいが、バッグを挟む一対のローラが設けられていてもよい。
【００１２】
本発明の薬液充填装置は、また、前記薬液バッグから前記シリンジ内へ薬液を導入するのに伴って前記シリンジのピストンが押し出されるようになっており、前記ピストンが所定の位置まで押し出された時点で該ピストンに当接して移動を阻止するストッパを更に備えていてもよい。
【００１３】
このような構成によれば、ストッパの位置を適宜調整することで、シリンジ内に所望量の薬液を正確に充填することが可能となる。
【発明の効果】
【００１４】
上述したように、本発明によれば、薬液バッグからシリンジ内への薬液の導入を簡単な構成で良好に行うことが可能な薬液充填装置を提供することができる。
【発明を実施するための最良の形態】
【００１５】
以下、図面を参照して本発明の実施の一形態を説明する。
（第１の実施形態）
図１は、本発明の薬液充填装置の一例を示す図であり、（Ａ）が正面図であり、（Ｂ）が右側面図である。図２及び図３は、図１の装置の使用方法を説明するための図であり、薬液バッグをしごいていく際の様子を示している。
【００１６】
図１に示すように、この薬液充填装置１は、シリンジ１０が配置される本体部２０と、該本体部２０の上方に設けられた上下移動可能なローラ３１と、を備えている。
【００１７】
本体部２０は、一例として樹脂製であり縦長の形状を有している。本体部２０の縦方向（上下方向）ほぼ中央には、シリンジ１０（詳細下記）のフランジ部を係合させるためのシリンジ保持リブ２５が設けられている。
【００１８】
なお、シリンジ１０は従来一般的なものであり、筒状のシリンダ部材１１と、それにスライド自在に挿入されたピストン１３と、を有している。シリンダ部材１１の先端（図示上側）には導管部１１ａが形成されている。ピストン１３の先端には、ガスケット１２が取り付けられており、後端にはフランジ部１３ａが形成されている。
【００１９】
図１に示すように、この例では、本体部２０の背面側をガイド軸２８が上下に貫通して延びている。ガイド軸２８は、本体部２０の上端から上向きに延び出し、その上端付近に一対のローラ３１が配置されている。
【００２０】
図２、３にも示すように、この一対のローラ３１は薬液が収容された薬液バッグ５０をしごくためのものである。図１に示すように、各ローラ３１は、その軸線が略水平となる向きで配置されている。図１（Ｂ）に示すように、手前のローラ３１と奥のローラ３１とは、略同じ高さに配置されている。
【００２１】
図１（Ａ）に示すように、この例では、各ローラ３１の両端部は支持部材３２、３２によって回転可能に支持されている。支持部材３２は、不図示の連結部材を介してガイド部材２８に連結されており、ガイド部材２８に沿って上下に移動可能となっている。すなわち、オペレータが、支持部材３２、３２をつかんでそれを上下移動させることで、同支持部材３２、３２に支持された一対のローラ３１もガイド部材２８に沿って上下移動するようになっている。
【００２２】
図１（Ｂ）に示すように、一対のローラ３１の上方には、薬液バッグ５０を引っ掛けるためのバッグ吊下げフック３８が設けられている。
【００２３】
詳細は図２、図３を参照して後述するが、本実施形態の薬液充填装置１においては、ローラ３１で薬液バッグ５０をしごくことにより、同バッグ内の薬液がシリンジ１０内に導入されていく。この際、シリンジ１０のピストン１３はシリンダ部材１１から徐々に押し出されていく。本実施形態の構成では、図１（Ａ）に示すように、ピストン１３が所定の位置まで押し出された時点で同ピストン１３のフランジ部１３ａに当接し、ピストン１３がそれ以上押し出されるのを阻止するストッパ４１が設けられている。ストッパ４１は、ピストン１３の下方に位置しており、その位置を上下方向に適宜変更できるように構成されている。ストッパ４１の位置を適宜変更し、ストッパ部材１３の押出し量を調整することにより、シリンジ１０内への薬液の導入量を変更することができる。
【００２４】
次に、以上のように構成された本実施形態の薬液充填装置５０の使用方法について説明する。
【００２５】
オペレータは、まず、図２に示すように、所定の薬液（例えば造影剤）が入った薬液バッグ５０をフック３８に引っ掛ける。この状態では、バッグ５０の上側が、一対のローラ３１によって挟まれている。なお、図２から明らかなように、ローラ３１は、バッグ５０をその全幅にわたって挟み込んでいる。
【００２６】
図２に示す状態では、薬液バック５０の口部５が下側に位置しており、この口部５と、シリンジ１０の導管部１１ａとが接続されている。なお、この接続部には、薬液バッグ５０からシリンジ１０内に薬液を導入する際に接続が外れないように、十分な耐圧性を備えるコネクタ等がもちいられている。ピストン１３は、シリンダ部材１１の最奥まで押し込まれている（ガスケット１２がシリンダ部材１１の最奥に位置している）。
【００２７】
図２から図３の状態にかけて、オペレータは、ローラ３１を手動でシリンジ側に移動させる。一例として、オペレータは、片手で本体部２０を押さえつつ、もう一方の手で支持部材３２を掴んでそれを下方に（矢印Ａ参照）移動させる。
【００２８】
オペレータが支持部材３２を移動させることにより、支持部材３２、３２に支持されている一対のローラ３１がバッグ表面を転がりながら、バッグ５０を徐々にしごいていく。これにより、バッグ５０のローラ３１よりも下方の領域が加圧され、内部の薬液がシリンジ１０に向けて押し出される。薬液は、バッグの口部５及びシリンジの導管部１１ａを通じてシリンジ内に導入される。なお、この導入に合わせて、シリンジ内のガスケット１２及びピストン１３が下方に徐々に押し出されていく。
【００２９】
図３に示すように、ピストン１３が所定の位置まで押し出されて、そのフランジ部１３ａがストッパ４１に押し当たり、ピストン１３がそれ以上動かなくなった時点で薬液の充填は終了する。
【００３０】
以上説明したように、本実施形態の構成によれば、ローラ３１を手動でシリンジ側に移動させることで、バッグ５０内の薬液をシリンジ１０内に導入することができる。本実施形態の薬液充填装置は横置きにして使用することも可能であるが、図２、図３に示したよう縦置きにして（薬液バッグ５０が上になる姿勢で）使用する場合、バッグ内の薬液が自重によりバッグ下側（シリンジ側）に溜まるので、ローラ３１によるしごき動作を行い易く、薬液バッグからシリンジ内への薬液の導入を良好に実施できるという利点もある。
【００３１】
また、本実施形態の構成によれば、ストッパ４１によりピストン１３の移動範囲を規制してシリンジ内への薬液充填量を調整できるようになっているため、所望の量の薬液を正確に充填することが可能である。
【００３２】
（他の実施形態）
図４は、本発明の薬液充填装置の他の例を示す図である。
【００３３】
図４に示すように、例えば、バッグ背面側に受け板３４が配置され、バッグ手面側にローラ３１が配置されていてもよい。この場合、ローラ３１を下方に移動させることで、ローラ３１と受け板３４との間でバッグ５０がしごかれ、バッグ内の薬液がシリンジ内へと押し出される。
【００３４】
図５は、本発明の薬液充填装置の更に他の例を示す正面図である。
【００３５】
図５に示すように、ローラ３１に接続されたハンドル３９を回すことで、ローラ３１が回転してバッグ５０がしごかれる構成であってもよい。ハンドル３９は、ローラ３１に直接固定されていてもよいし、歯車等からなる伝達機構を介してローラ３１に接続されていてもよい。ハンドル３９は、図１のような一対のローラ３１を有するタイプ、及び図４のようなローラ３１及び受け板３４を有するタイプの双方に適用可能である。このようにハンドル３９を回してバッグ５０をしごく構成の場合、オペレータからの力をバッグ５０に安定的に伝えることができるので、シゴキ動作をより安定させることが可能となる。
【００３６】
以上、本発明の薬液充填装置の幾つかの例について説明したが、他にも、モータ等を具備した駆動機構（不図示）によりローラ３１を動かして、シゴキ動作が自動で行われるようになっていてもよい。この場合、例えば、ローラ３１自体が上記駆動機構からの駆動力を受けて回転するようになっていてもよい。あるいは、ローラ３１自体は回転自在となっており、支持部材３２が上記駆動機構からの駆動力を受けてシリンジ１０側に移動するようになっていてもよい。支持部材３２が移動することで、第１の実施形態同様、ローラ３１がバッグ表面を転がり、バッグを徐々にしごいてバッグ中の薬液を押し出すことができる。
【図面の簡単な説明】
【００３７】
【図１】本発明の薬液充填装置の一例を示す図であり、（Ａ）が正面図であり、（Ｂ）が右側面図である。
【図２】図１の装置の使用方法を説明するための図であり、薬液バッグをしごいていく際の様子を示している。
【図３】図２の状態から更にバッグをしごいた状態を示す図である。
【図４】本発明の薬液充填装置の他の例を示す図である。
【図５】本発明の薬液充填装置の更に他の例を示す正面図である
【符号の説明】
【００３８】
１  薬液充填装置
５  口部
１０  シリンジ
１１  シリンダ部材
１３  ピストン
２０  本体部
２５  シリンジ保持リブ
２８  ガイド軸
３１  ローラ
３２  支持部材
３４  受け板
３８  フック
３９  ハンドル
４１  ストッパ
【図１】
2009039310.tif 000003
【図２】
2009039310.tif 000004
【図３】
2009039310.tif 000005
【図４】
2009039310.tif 000006
【図５】
2009039310.tif 000007